(57)【要約】【課題】吸引チューブが深く挿入され過ぎることを抑制し、患者の負担を低減させつつ安全性を向上できる挿入補助具を提供する。【解決手段】吸引チューブ１０を気道へ挿入するための挿入補助具１００であり、前記吸引チューブ１０を進退動可能に保持する保持部１１０と、前記保持部１１０に対する前記吸引チューブ１０の移動長さを検出する検出部１７０と、前記検出部１７０により検出された前記移動長さに応じて前記吸引チューブ１０の前記保持部１１０に対する移動を規制する制動部１８０と、を有している。【選択図】図４
2013212234.tif 000002
【特許請求の範囲】
【請求項１】
吸引チューブを気道へ挿入するための挿入補助具であって、
前記吸引チューブを進退動可能に保持する保持部と、
前記保持部に対する前記吸引チューブの移動長さを検出する検出部と、
前記検出部により検出される前記移動長さに応じて前記吸引チューブの前記保持部に対する移動を規制する制動部と、を有する挿入補助具。
【請求項２】
前記検出部により検出される前記吸引チューブの移動長さに応じた情報を外部へ知覚可能に出力する通知部をさらに有する請求項１に記載の挿入補助具。
【請求項３】
前記検出部により検出される前記吸引チューブの移動長さが予め設定された限界値に達した際に前記制動部を作動させる制御部をさらに有する請求項１または２に記載の挿入補助具。
【請求項４】
前記検出部は、前記吸引チューブの移動長さを計測して検出する請求項１〜３のいずれか１項に記載の挿入補助具。
【請求項５】
前記検出部は、前記吸引チューブに長さに応じて表示される指標を読み取ることで前記吸引チューブの移動長さを検出する請求項１〜３のいずれか１項に記載の挿入補助具。
【請求項６】
前記限界値または当該限界値を算出するためのデータを入力するための入力部をさらに有する請求項３に記載の挿入補助具。
【発明の詳細な説明】
【技術分野】
【０００１】
本発明は、吸引チューブを気道へ挿入する際に使用される挿入補助具に関する。
【背景技術】
【０００２】
介護や医療の現場において、喀痰、唾液、食物残渣などの自力排出が困難な患者に対し、吸引チューブを用いてこれらを吸引する方法が用いられている（例えば、特許文献１を参照）。喀痰とは、一般に気道とよばれる呼吸器系、すなわち口腔、鼻腔、咽喉頭腔、気管、気管支、肺胞などの粘膜からの分泌物から形成されるものであり、通常、咳等によって体外に喀出される。なお、本明細書では喀痰、唾液、食物残渣などからなる吸引対象物を「喀痰」と称することとする。
吸引チューブは、病院の壁に備え付けの吸引機や、移動可能な小型吸引機の吸引口に一端が取り付けられ、他端が経鼻的または径口的に上気道の口腔部、咽頭部、喉頭部や下気道の気管まで挿入されて、吸引機の吸引力によって喀痰を吸引できるディスポーザブルなデバイスである。喀痰を吸引することで、患者の息苦しさを取り除き、血中酸素濃度の低下を抑えることができる。また、微生物などが含まれる喀痰を除去することで誤嚥性肺炎の発生を抑えることができる。なお、本明細書では、喀痰吸引時に吸引チューブの他端が位置する、上気道の鼻腔、口腔、咽頭、喉頭や下気道の気管からなる身体領域を「気道」と称することとする。
【先行技術文献】
【特許文献】
【０００３】
【特許文献１】特開２０００−９３５０５号公報
【発明の概要】
【発明が解決しようとする課題】
【０００４】
ところで、吸引チューブを気管内の深部まで挿入し過ぎると、吸引チューブによって気管が損傷する虞がある。吸引チューブによっては、挿入長さがわかるように目盛が表示されたものもあるが、必ずしも厳格に使用されておらず、操作者の感覚に依存して使用されている場合が少なくない。
【０００５】
本発明は、上述した課題を解決するためになされたものであり、吸引チューブが挿入され過ぎることを抑制し、患者の負担を低減させつつ安全性を向上できる挿入補助具を提供することを目的とする。
【課題を解決するための手段】
【０００６】
上記目的を達成する挿入補助具は、吸引チューブを気道へ挿入するための挿入補助具であって、前記吸引チューブを進退動可能に保持する保持部と、前記保持部に対する前記吸引チューブの移動長さを検出する検出部と、前記検出部により検出される前記移動長さに応じて前記吸引チューブの前記保持部に対する移動を規制する制動部と、を有する。
【発明の効果】
【０００７】
上記のように構成した挿入補助具によれば、検出部により検出された吸引チューブの移動長さに応じて、制動部によって吸引チューブの移動を規制するため、吸引チューブが深く挿入され過ぎる前に吸引チューブを制動することが可能となり、患者の負担を低減させて安全性を向上させることができる。
【０００８】
前記検出部により検出される前記吸引チューブの移動長さに応じた情報を外部へ知覚可能に出力する通知部をさらに有するようにすれば、移動長さを操作者に明確に認識させることができ、吸引チューブが深く挿入され過ぎることを抑制できる。
【０００９】
前記検出部により検出される前記吸引チューブの移動長さが予め設定された限界値に達した際に前記制動部を作動させる制御部をさらに有するようにすれば、吸引チューブが限界値よりも深く挿入されることが抑制され、患者の負担を低減させて安全性をより向上させることができる。
【００１０】
前記検出部が、前記吸引チューブの移動長さを計測して検出するようにすれば、吸引チューブに長さを表示する指標が表示されていなくとも、吸引チューブの移動長さを検出可能となり、様々な種類の吸引チューブを使用することができる。
【００１１】
前記検出部は、前記吸引チューブに長さに応じて表示される指標を読み取ることで前記吸引チューブの移動長さを検出するようにすれば、吸引チューブの長さを計測する必要がなく、特定される移動長さの精度が高くなり、安全性を向上させることができる。
【００１２】
前記限界値または当該限界値を算出するためのデータを入力するための入力部をさらに有するようにすれば、患者によって最適な限界値を設定することができ、安全性をより向上させることができる。
【図面の簡単な説明】
【００１３】
【図１】第１の実施形態に係る挿入補助具を示す斜視図である。
【図２】吸引チューブを示す平面図である。
【図３】第１の実施形態に係る挿入補助具を示す平面図である。
【図４】第１の実施形態に係る挿入補助具の内部を説明するための透過平面図である。
【図５】第１の実施形態に係る挿入補助具の構成図である。
【図６】第１の実施形態に係る挿入補助具を使用する際を示す概略平面図である。
【図７】第１の実施形態に係る挿入補助具の表示部に表示される画像の一例を示す平面図である。
【図８】第１の実施形態に係る挿入補助具の動作を説明するための透過平面図である。
【図９】第１の実施形態に係る挿入補助具の動作の流れを説明するためのフローチャートである。
【図１０】第２の実施形態に係る挿入補助具の内部を説明するための透過平面図である。
【図１１】第３の実施形態に係る挿入補助具を示す斜視図である。
【図１２】第４の実施形態に係る挿入補助具を示す斜視図である。
【図１３】第５の実施形態に係る挿入補助具を示す斜視図である。
【図１４】第６の実施形態に係る挿入補助具の内部を説明するための透過平面図である。
【図１５】第７の実施形態に係る挿入補助具の制動部を示す斜視図である。
【発明を実施するための形態】
【００１４】
以下、図面を参照して、本発明の実施の形態を説明する。なお、図面の寸法比率は、説明の都合上、誇張されて実際の比率とは異なる場合がある。
＜第１実施形態＞
【００１５】
本発明の第１実施形態に係る挿入補助具１００は、図１に示すように、喀痰を吸引するための柔軟な吸引チューブ１０を経口的にまたは経鼻的に気道内へ挿入する際に補助として使用され、吸引チューブ１０の挿入した長さを検出可能なデバイスである。
【００１６】
挿入補助具１００に設置される吸引チューブ１０は、図２に示すように、基端側に、吸引機に接続するための開口部１４が形成された管状のコネクタ１１が設けられ、コネクタ１１から先端側へ延びる柔軟なチューブ本体１２の先端側の側面に、吸引孔１３が形成されている。なお、本明細書では、気道に挿入する側を「先端」若しくは「先端側」、操作する手元側を「基端」若しくは「基端側」と称することとする。また、本明細書における「上」および「下」との表現は、説明のために便宜的に使用するものであり、挿入補助具１００の使用状態を限定するものではない。
【００１７】
挿入補助具１００は、図１〜４に示すように、吸引チューブ１０が挿通されて吸引チューブ１０を保持する保持部１１０と、保持部１１０の先端の下側に設けられる受け部１２０と、画像を表示する表示部１３０（通知部）と、リセットボタン１４０と、音声を出力する音出力部１５０（通知部）とを備えている。また、挿入補助具１００は、保持部１１０の内部に、挿入補助具１００の動作を制御する制御部１６０と、吸引チューブ１０の移動長さを検出するための検出部１７０と、吸引チューブ１０の進退動を制動するための制動部１８０と、電流を供給する電源１９０とを備えている。
【００１８】
保持部１１０は、基端側から先端側へ向かって貫通する、吸引チューブ１０が挿入される保持孔１１１を備えている。保持孔１１１は、挿入された吸引チューブ１０を進退動可能に保持する。保持部１１０の基端側の下方には、操作者が掴むためのハンドル１１２が形成されている。
【００１９】
受け部１２０は、挿入補助具１００を患者に対して位置決めするために患者に接する部位であり、患者に対して確実に接することができるように、下方へ向かって比較的長く形成されている。受け部１２０は、吸引チューブ１０を経鼻的に挿入する際には、上顎の近傍と接し、吸引チューブ１０を経口的に挿入する際には、下顎の近傍と接することになる。
【００２０】
表示部１３０は、画像を表示するモニタ１３１を備え、保持部１１０に対してジョイント部１３２を介して接続されている。ジョイント部１３２は、例えばボールジョイントであり、表示部１３０の任意の方向への回転を許容する構造となっている。表示部１３０が、保持部１１０に対して移動可能であることで、患者の姿勢や個体差に応じて、操作者が見やすい方向に表示部１３０を向けることが可能となる。特に、患者が起き上がれない場合や、体位交換が困難な場合等に効果的である。表示部１３０は、制御部１６０と電気的に接続されており、制御部１６０から受ける信号に基づいて、図７に示す表示の例のように、気道内における吸引チューブ１０の先端の位置を表示する。なお、図７では、位置Ａ、位置Ｂおよび位置Ｃの全てが表示されているが、実際の計測の際には、吸引チューブ１０の先端が到達した位置のみが表示される。
【００２１】
リセットボタン１４０は、保持部１１０の外面に配置され、制御部１６０に電気的に接続されている。リセットボタン１４０が押されると、リセットボタン１４０から制御部１６０に信号が送信され、挿入補助具１００による計測および制動がリセットされ、再び計測可能な状態となる。なお、リセットボタン１４０の位置は、保持部１１０に限定されない。
【００２２】
音出力部１５０は、保持部１１０の外面に配置され、制御部１６０からの信号を受けて警告音等の音や音声を発することができる。音出力部１５０は、ブザーやスピーカを含んで構成される。なお、音出力部１５０の位置は、保持部１１０に限定されない。
【００２３】
検出部１７０は、接触型の回転計であり、保持孔１１１を挟むように設けられて吸引チューブ１０と接する２つの回転ローラ１７１，１７２と、一方の回転ローラ１７２の回転数を検出して電気信号を制御部１６０へ送信する検出本体部１７３とを備えている。回転ローラ１７１，１７２は、保持孔１１１内で吸引チューブ１０の外面と接し、吸引チューブ１０の移動によって回転する。しかたがって、検出部１７０は、回転ローラ１７２の回転数から、吸引チューブ１０の移動長さを検出できる。
【００２４】
制動部１８０は、保持孔１１１の側方から保持孔１１１の軸中心へ向かって移動可能な制動パッド１８１と、制動パッド１８１を進退動させるための駆動部１８２とを備えている。駆動部１８２は、モータやシリンダ等の駆動源を備え、制御部１６０からの信号によって駆動される。制動パッド１８１は、図８に示すように、吸引チューブ１０を側方から押しつけることで、吸引チューブ１０の進退動を押さえるブレーキとして機能する。
【００２５】
制御部１６０は、保持部１１０の内部に配置されており、ＣＰＵ、記憶部（ＲＯＭ、ＥＥＰＲＯＭおよびＲＡＭ）等により構成され、表示部１３０、リセットボタン１４０、音出力部１５０、検出部１７０および制動部１８０に電気的に接続されている。制御部１６０は、検出部１７０から吸引チューブ１０の移動長さに対応する信号を受信し、これに応じて、表示部１３０に画像を表示させ、音出力部１５０に音を出力させ、かつ制動部１８０を駆動させることができる。また、制御部１６０は、リセットボタン１４０からの信号に基づいて、表示部１３０、音出力部１５０、検出部１７０および制動部１８０の作動をリセットできる。
【００２６】
電源１９０は、例えば電池であり、表示部１３０、リセットボタン１４０、音出力部１５０、制御部１６０、検出部１７０および制動部１８０に電流を供給する。
【００２７】
喀痰の吸引に使用される吸引機２０は、図６に示すように、吸引チューブ１０が接続される吸引口２１を有するチューブ２２と、チューブ２２が接続されて吸引された喀痰を受ける容器２３と、容器２３内に負圧を生じさせる吸引本体部２４とを備えている。吸引機２０は、本実施形態では移動可能な小型吸引機であるが、病院の壁に備え付けの吸引機であってもよい。
【００２８】
次に、第１の実施形態に係る挿入補助具１００を使用する方法を、吸引チューブ１０を経鼻的に挿入する場合を例として、図９に示すフローチャートを参照しつつ説明する。
【００２９】
まず、操作者は、図６に示すように、吸引機２０の吸引口２１に吸引チューブ１０のコネクタ１１を接続する。次に、吸引機２０の電源および挿入補助具１００の電源１９０をオンとする。次に、一方の手で挿入補助具１００のハンドル１１２を掴み、受け部１２０を患者の上顎の近傍に接触させる。これにより、吸引チューブ１０が患者に対して位置決めされ、より正確な計測が可能となる。
【００３０】
次に、他方の手で吸引チューブ１０を操作して、吸引チューブ１０を保持孔１１１に挿入する。吸引チューブ１０が回転ローラ１７１，１７２と接すると、回転ローラ１７１，１７２の回転が開始される。回転ローラ１７２が回転すると、検出部１７０から信号を受信している制御部１６０によって、吸引チューブの先端が特定され、長さ計測の０地点として記憶される。
【００３１】
この後、操作者は、吸引チューブ１０を気道へ向かって押し込む。この間、吸引チューブ１０の移動長さが、検出部１７０によって検出される。移動長さが所定の値Ｌ１に到達すると、制御部１６０は、図７に示すように、移動長さＬ１に対応する吸引チューブ１０の気道内での位置Ａを、表示部１３０に表示させる。これにより、操作者は、吸引チューブ１０が位置Ａまで到達したことを視覚的に認識することができる。なお、移動長さに対応する気道内での吸引チューブ１０の位置は、予め統計的に得られ、制御部１６０に記憶されている。
【００３２】
この後、さらに吸引チューブ１０を押し進め、移動長さが所定の値Ｌ２（＞Ｌ１）に到達すると、制御部１６０は、移動長さＬ２に対応する気道内での吸引チューブ１０の位置Ｂを、表示部１３０に表示させる。これにより、操作者は、吸引チューブ１０が位置Ｂまで到達したことを視覚的に認識することができる。
そして、さらに吸引チューブ１０を押し進め、目的の位置において、吸引チューブ１０により喀痰が吸引される。
【００３３】
吸引チューブ１０を押し進め過ぎ、移動長さが所定の値Ｌ３（＞Ｌ２）に到達すると、制御部１６０は、移動長さＬ３に対応する気道内での吸引チューブ１０の位置Ｃを、表示部１３０に表示させる。位置Ｃは、吸引チューブ１０の挿入が許容される限界深度（限界値）に位置する。
【００３４】
吸引チューブ１０が限界深度まで達すると、制御部１６０は、制動部１８０および音出力部１５０を作動させる。制動部１８０は、制御部１６０からの指令により駆動部１８２が駆動され、制動パッド１８１が吸引チューブ１０を押圧する。これにより、吸引チューブ１０のこれ以上奥への移動が規制され、患者の安全が確保される。なお、ここでいう限界深度は、ある程度余裕も持って見積もられており、したがって、この値を少しでも超えると必ず問題が生じるというものではない。
【００３５】
そして、音出力部１５０は、制御部１６０からの指令により、限界深度に達したことを警告音により通知する。これにより、操作者は、吸引チューブ１０が限界深度である位置Ｃまで到達したことを聴覚的に認識することができる。所定の時間が経過すると、制御部１６０は、制動部１８０の制動パッド１８１を後退させ、かつ音出力部１５０による通知を停止させる。これにより、操作者は、吸引チューブ１０を後退させて引き抜くか、またはある程度後退させた状態で吸引を継続させることが可能となる。ここで、所定の時間が経過後に制動部１８０による制動および音出力部１５０による通知が解除されても、吸引チューブ１０が再び限界深度へ達すれば、再び制動部１８０および音出力部１５０が作動されるため、安全性に問題はない。なお、例えば、所定の時間後に制動部１８０による制動および音出力部１５０による通知を解除するのではなく、例えばリセットボタン１４０によってリセットして制動部１８０による制動および音出力部１５０による通知を解除した後、引き抜くこともできる。
【００３６】
喀痰の吸引が完了した後には、吸引チューブ１０を後退させて引き抜く。そして、吸引機２０の電源および挿入補助具１００の電源１９０をオフとし、ディスポーザブルな吸引チューブ１０を廃棄する。そして、挿入補助具１００は、消毒を行った後、再度利用することが可能な状態となる。
【００３７】
以上のように、本実施形態に係る挿入補助具１００は、吸引チューブ１０を進退動可能に保持する保持部１１０と、保持部１１０に対する吸引チューブ１０の移動長さを検出する検出部１７０と、検出部１７０により検出された移動長さに応じて吸引チューブ１０の保持部１１０に対する移動を規制する制動部１８０とを備えている。このため、吸引チューブ１０が深く挿入され過ぎる前に吸引チューブ１０を制動することが可能となり、患者の負担を低減させて安全性を向上させることができる。
【００３８】
また、挿入補助具１００が、検出部１７０により検出される吸引チューブ１０の移動長さに応じた情報を外部へ知覚可能に出力する通知部として、表示部１３０および音出力部１５０を有するため、移動長さを、視覚的および聴覚的に操作者へ明確に認識させることができ、吸引チューブ１０が深く挿入され過ぎることをより確実に抑制できる。
【００３９】
また、検出部１７０により検出される吸引チューブ１０の移動長さが予め設定された限界深度（限界値）に達した際に、制御部１６０が制動部１８０を作動させるため、吸引チューブ１０が限界深度よりも深く挿入されることが抑制され、患者の負担を低減させて安全性をより向上させることができる。
【００４０】
また、検出部１７０が、吸引チューブ１０の移動長さを計測して検出するため、吸引チューブに長さを表示する指標が表示されていなくとも、吸引チューブ１０の移動長さを検出することができる。したがって、様々な種類の吸引チューブ１０を使用することが可能となる。
＜第２実施形態＞
【００４１】
本発明の第２実施形態に係る挿入補助具２００は、図１０に示すように、吸引チューブ３０の移動長さを検出するための検出部２７０が、第１実施形態に係る挿入補助具１００と異なる。なお、第１実施形態と同様の機能を有する構成については、第１実施形態と同一の符号を付し、重複する説明を省略する。
【００４２】
挿入補助具２００は、検出部２７０が、赤外線を照射してバーコード３５を読み取るバーコードリーダである。そして、吸引チューブ３０は、長さを特定したい部位毎に、長さを表示する指標として、その部位の長さ情報を含むバーコード３５が表示されている。
【００４３】
挿入補助具２００を使用する際には、吸引チューブ３０の各部位の長さ情報を含むバーコード３５を、バーコードリーダである検出部２７０によって検出することで、吸引チューブ３０の移動長さを特定することができる。
【００４４】
第２実施形態に係る挿入補助具２００によれば、検出部２７０が、吸引チューブ３０に長さに応じて表示されるバーコード３５（指標）を読み取ることで吸引チューブ３０の移動長さを検出するため、吸引チューブ３０の長さを計測する必要がなく、特定される移動長さの精度が高くなり、安全性を向上させることができる。
＜第３実施形態＞
【００４５】
本発明の第３実施形態に係る挿入補助具３００は、図１１に示すように、表示部が設けられない点で、第１実施形態に係る挿入補助具１００と異なる。なお、第１実施形態と同様の機能を有する構成については、同一の符号を付し、重複する説明を省略する。
【００４６】
第３実施形態に係る挿入補助具３００は、表示部が設けられないため、吸引チューブ１０が限界深度に達した際に、音出力部１５０のみによって通知を行う。このような構成であっても、検出部１７０（図４を参照）により検出される吸引チューブ１０の移動長さに応じた情報を、音出力部１５０のみで外部へ知覚可能に出力することができる。
なお、音出力部１５０は、警告音を通知するのみならず、吸引チューブ１０の挿入過程での移動長さや到達位置を音声で通知する構成としてもよい。
＜第４実施形態＞
【００４７】
本発明の第４実施形態に係る挿入補助具４００は、図１２に示すように、使用する吸引チューブ４０に調整部４４が形成されており、吸引チューブ４０の調整部４４を保持する調整部保持具４１５が設けられる点で、第１実施形態と異なる。なお、第１実施形態と同様の機能を有する構成については、同一の符号を付し、重複する説明を省略する。
【００４８】
吸引チューブ４０は、一般的に使用されているものであるが、チューブ本体４２の途中に、内部の流路が開口する調整口４５が形成された調整部４４を備えている。調整部４４は、吸引チューブ４０が吸引機２０（図６を参照）に接続されて吸引が開始されている状態で、操作者が指で塞ぐことで、吸引チューブ４０の先端の吸引孔４３からの吸引を可能とし、指により塞がずに開口させることで、調整口４５から空気を流入させ、吸引孔４３からの吸引を停止、または弱めることを可能とする。このような吸引チューブ４０は、例えば目的位置まで到達されるまで、および喀痰の吸引後に引き抜く際等に、調整口４５を塞がずに患者が呼吸することを可能とし、かつ目的位置において調整口４５を塞いで喀痰の吸引を行うことを可能とする。
【００４９】
調整部保持具４１５は、上記の吸引チューブ４０の調整部４４を保持する部材であり、ジョイント部１３２に固定される固定部４１６と、調整部４４を引っ掛けるフック４１７とを備えている。調整部保持具４１５は、例えば樹脂等で形成される。
【００５０】
挿入補助具４００を使用する際には、調整部４４を調整部保持具４１５のフック４１７に引っ掛けて使用する。操作者は、ハンドル１１２を掴みつつ、調整口４５を塞がずに吸引チューブ４０を気道へ向かって挿入することができる。このとき、調整口４５が塞がれていないため、患者は呼吸をすることが可能である。そして、喀痰の吸引を開始する際には、ハンドル１１２を掴んでいる一方の手の指によって調整口４５を塞ぎつつ、他方の手で吸引チューブ４０の挿入を操作できるため、調整口４５を有する吸引チューブ４０を使用する場合であっても、操作性が低下しない。
＜第５実施形態＞
【００５１】
本発明の第５実施形態に係る挿入補助具５００は、図１３に示すように、入力部５３５が設けられる点で、第１実施形態に係る挿入補助具１００と異なる。なお、第１実施形態と同様の機能を有する構成については、同一の符号を付し、重複する説明を省略する。
【００５２】
第５実施形態に係る挿入補助具５００は、制動部１８０（図４を参照）を作動させるための限界深度（限界値）を外部から入力するための入力部５３５を備えている。なお、入力部５３５から入力された値は、制御部１６０に格納され、制動部１８０を作動させる際に用いられる。入力部５３５は、数値を入力するのではなく、複数の候補から選択するように入力する構成であってもよい。入力する際には、表示部１３０に、入力値または選択可能な候補が表示される。また、限界深度を入力するのではなしに、限界深度を算出するためのデータを入力することもできる。限界深度を算出するためのデータは、例えば、挿入方法（経口的または経鼻的）、患者の身長、体重、性別およびＢＭＩ（Ｂｏｄｙ  Ｍａｓｓ  Ｉｎｄｅｘ）等であり、これらの少なくとも１つを入力できることが好ましい。
【００５３】
第５実施形態に係る挿入補助具５００によれば、限界値または限界値を算出するためのデータを入力するための入力部５３５を有するため、患者によって最適な限界値を設定することができ、安全性をより向上させることができる。
＜第６実施形態＞
【００５４】
本発明の第６実施形態に係る挿入補助具６００は、図１４に示すように、吸引チューブ５０が挿通されて吸引チューブ５０を保持する保持部６１０と、保持部６１０の先端の下側に設けられて、挿入補助具６００を患者に対して位置決めするための受け部６２０とを備えている。
【００５５】
保持部６１０は、基端側から先端側へ向かって貫通する、吸引チューブ５０が挿入される保持孔６１１を備えている。保持孔６１１は、挿入された吸引チューブ５０を進退動可能に保持する。保持部６１０の基端側の下方には、操作者が掴むためのハンドル６１２が形成されている。
【００５６】
そして、吸引チューブ５０は、チューブ本体５２に、保持孔６１１を基端側から通り抜け不能な大径部５６が形成されている。大径部５６は、吸引チューブ５０を保持孔６１１に挿通させて吸引チューブ５０が限界深度に達する際に保持部６１０に当接し、これ以上の挿入が不能となる位置に設けられる。すなわち、大径部５６は、吸引チューブ５０において長さに応じて表示される指標として機能し、大径部５６が当接する保持部６１０が、指標を読み取ることで吸引チューブ５０の移動長さを検出する検出部として機能する。
【００５７】
第６実施形態に係る挿入補助具６００によれば、吸引チューブ５０に大径部５６を設けるだけで、容易かつ確実に、吸引チューブ５０が深く挿入され過ぎることを抑制することができる。
【００５８】
なお、大径部５６は、吸引チューブ５０の移動を抑制できるのであれば、軸直交断面は円形でなくてもよい。また、大径部５６は、汎用の吸引チューブに取り付ける形態であってもよい。
＜第７実施形態＞
【００５９】
本発明の第７実施形態に係る挿入補助具は、図１５に示すように、吸引チューブ１０を制動するための制動部７８０のみが、第１実施形態に係る挿入補助具１００と異なる。
【００６０】
第７実施形態における制動部７８０は、内径を縮小可能なチャンバ７８２を形成するように、周方向に並ぶ複数の可動部材７８１が設けられている。チャンバ７８２の内径は、複数の可動部材７８１を相対的に移動させることで、拡大および収縮が可能となっている。このような構造は、クリンプ機やシャッターの構造として、一般的に知られている。
【００６１】
第７実施形態に係る挿入補助具であっても、制動部７８０によって、吸引チューブ１０を良好に制動することができる。特に、吸引チューブ１０の周方向の全体を覆うように制動するため、吸引チューブ１０への負担を低減させて損傷しにくくすることができる。なお、吸引チューブ１０の周方向の全体を覆うような構造としては、内部に流体を流入させることで内径が収縮する環状のバルーン等も適用できる。
【００６２】
本発明は、上述した実施形態のみに限定されるものではなく、本発明の技術的思想内において当業者により種々変更が可能である。例えば、上述した実施形態の構成を複数組み合わせてもよい。また、表示部をタッチパネルとして、表示部を入力部として機能させることもできる。また、第１実施形態において、表示部１３０は、位置Ａ、位置Ｂおよび位置Ｃを表示する構成としたが、表示する位置の数は限定されず、さらには、検出される移動長さに応じて、吸引チューブ１０を模擬した図がリアルタイムで移動するような動画で表示することもできる。また、表示部１３０は、吸引チューブ１０の位置を図で表示するのではなく、移動長さ等を数値で表示することもできる。
【００６３】
また、吸引チューブに長さに応じて表示される指標は、バーコードでなくてもよく、文字、数字、色、色彩、または図形等であってもよい。また、指標を読み取る検出部は、例えばイメージセンサやカラーセンサ等であってもよい。
【符号の説明】
【００６４】
１０，３０，４０，５０    吸引チューブ、
１００，２００，３００，４００，５００，６００    挿入補助具、
１１０    保持部、
１３０    表示部（通知部）、
１５０    音出力部（通知部）、
１６０    制御部、
１７０，２７０    検出部、
１８０，７８０    制動部、
３５    バーコード（指標）、
５３５    入力部、
５６    大径部（指標）、
６１０    保持部（検出部）。
【図１】
2013212234.tif 000003
【図２】
2013212234.tif 000004
【図３】
2013212234.tif 000005
【図４】
2013212234.tif 000006
【図５】
2013212234.tif 000007
【図６】
2013212234.tif 000008
【図７】
2013212234.tif 000009
【図８】
2013212234.tif 000010
【図９】
2013212234.tif 000011
【図１０】
2013212234.tif 000012
【図１１】
2013212234.tif 000013
【図１２】
2013212234.tif 000014
【図１３】
2013212234.tif 000015
【図１４】
2013212234.tif 000016
【図１５】
2013212234.tif 000017